(57)【要約】【課題】  上下の単体石同士をその許容せん断力や許容曲げ応力が高くなるように結合し、安定性を良くし、転倒しにくくして、耐震性の向上を図った。【解決手段】  矩形状の平断面を有し、下から順に平断面の面積が小さくなる３つの単体石１を順次各単体石１の上に載置して形成され、最上位の単体石１を竿石２とし、竿石２が載置される単体石１を上台３とし、上台３が載置される単体石１を下台４とした墓Ｇにおいて、上台３にその平面から見て中央に竿石２の下端部５が嵌合する凹部６を形成し、下台４にその平面から見て中央に上台３が嵌合する凹部６を形成し、各凹部６の深さ寸法ＤをＤ≧１５０ｍｍとし、竿石２の平断面積をＳ1 とし、上台３の平断面積をＳ2 としたとき、Ｓ2 ≧４Ｓ1 とした。【選択図】  図１
0003102558.tif 000002
【実用新案登録請求の範囲】
【請求項１】
下から順に平断面の面積が小さくなる複数の単体石を順次各単体石の上に載置して形成される墓において、
上記単体石に上側の単体石の下端部が嵌合する凹部を形成したことを特徴とする墓。
【請求項２】
上記凹部の深さ寸法ＤをＤ≧１５０ｍｍとしたことを特徴とする請求項１記載の墓。
【請求項３】
上位の単体石の平断面積をＳ1 、該上位の１つ下位の単体石の平断面積をＳ2 としたときに、Ｓ2 ≧４Ｓ1 としたことを特徴とする請求項１または２記載の墓。
【請求項４】
上記各単体石の平断面を矩形状に形成し、上記凹部を平面から見て単体石の中央に形成したことを特徴とする請求項１，２または３記載の墓。
【請求項５】
矩形状の平断面を有し下から順に平断面の面積が小さくなる３つの単体石を順次各単体石の上に載置して形成され、最上位の単体石を竿石とし、該竿石が載置される単体石を上台とし、該上台が載置される単体石を下台とした墓において、
上記上台にその平面から見て中央に上記竿石の下端部が嵌合する凹部を形成し、上記下台にその平面から見て中央に上記上台が嵌合する凹部を形成し、
上記各凹部の深さ寸法ＤをＤ≧１５０ｍｍとし、
上記竿石の平断面積をＳ1 とし、上記上台の平断面積をＳ2 としたとき、Ｓ2 ≧４Ｓ1 としたことを特徴とする墓。
【考案の詳細な説明】
【技術分野】
【０００１】
本考案は、地震等が発生した際、転倒しにくい構造の耐震性に優れた墓に関する。
【背景技術】
【０００２】
従来、この種の墓としては、例えば、登録実用新案第３０３１７４９号公報に記載の技術が知られている。図３に示すように、この墓１００は、御影石や安山岩等の硬質石材で形成され、矩形状の平断面を有し下から順に平断面の面積が小さくなる３つの単体石を順次各単体石の上に載置して形成され、最上位の単体石を竿石１０１とし、竿石１０１が載置される単体石を上台１０３とし、上台１０３が載置される単体石を下台１０６としている。
【０００３】
この墓においては、竿石１０１の下端部１０２と上台１０３の天面１０４に互いに対向する嵌合穴１０９を穿設するとともに、上台１０３の下端部１０５と下台１０６の天面１０７に互いに対向する嵌合穴１０９を穿設し、御影石や安山岩等の硬質石材で形成した円柱形または角柱形の鈎石１１０を嵌合穴１０９に嵌合し接着剤で結合している。
これにより、地震等のとき、墓が揺れても、鈎石１１０のせん断力により、竿石１０１や上台１０３の倒れが防止される。
【０００４】
【特許文献１】登録実用新案第３０３１７４９号公報
【考案の開示】
【考案が解決しようとする課題】
【０００５】
ところで、この従来の墓１００においては、竿石１０１と上台１０３を鈎石１１０で嵌合により連結させ，上台１０３と下台１０６を鈎石１１０で嵌合により連結させているが、鈎石１１０は棒状で小さいものなのでその許容せん断力や許容曲げ応力が必ずしも高いものではなく、そのため、地震等が発生したとき、鈎石１１０が振動に耐え切れず、折れてしまい、必ずしも連結が強固ではないことから、墓１００が転倒して倒壊してしまうことがあるという問題があった。
【０００６】
本考案は上記の問題点に鑑みて為されたもので、上下の単体石同士をその許容せん断力や許容曲げ応力が高くなるように結合し、安定性を良くし、転倒しにくくして、耐震性の向上を図った墓を提供することを目的とする。
【課題を解決するための手段】
【０００７】
このような目的を達成するための本考案の技術的手段は、下から順に平断面の面積が小さくなる複数の単体石を順次各単体石の上に載置して形成される墓において、上記単体石に上側の単体石の下端部が嵌合する凹部を形成した構成としている。
これにより、嵌合する単体石の下端部は太いことから、従来の棒状の鈎石に比較して、許容せん断力や許容曲げ応力を高くして結合することができ、このため、地震等が発生した際に、単体石の転倒や横滑り等が起こりにくくなり、耐震性が向上させられる。
【０００８】
また、必要に応じ、上記凹部の深さ寸法ＤをＤ≧１５０ｍｍとした構成としている。凹部の壁面による押さえが確実となり、より一層、単体石の転倒や横滑り等が起こりにくくなり、耐震性が向上させられる。
【０００９】
そして、必要に応じ、上位の単体石の平断面積をＳ1 、該上位の１つ下位の単体石の平断面積をＳ2 としたときに、Ｓ2 ≧４Ｓ1 とした構成としている。上位の単体石よりも下位の単体石の平断面積の大きさが４倍以上大きくなっているので、重量の重い上位の単体石を嵌合しても支持が確実になり、これにより、凹部の壁面による押さえも確実になり、より一層、単体石の転倒や横滑り等が起こりにくくなり、耐震性が向上させられる。
【００１０】
また、必要に応じ、上記各単体石の平断面を矩形状に形成し、上記凹部を平面から見て単体石の中央に形成した構成としている。上位の単体石が下位の単体石の中央に位置するので、重量の重い上位の単体石を嵌合してもバランスよく支持することができ、これにより、凹部の壁面による押さえも確実になり、より一層、単体石の転倒や横滑り等が起こりにくくなり、耐震性が向上させられる。
【００１１】
そして、本考案に係る墓は、具体的に、矩形状の平断面を有し下から順に平断面の面積が小さくなる３つの単体石を順次各単体石の上に載置して形成され、最上位の単体石を竿石とし、該竿石が載置される単体石を上台とし、該上台が載置される単体石を下台とした墓において、上記上台にその平面から見て中央に上記竿石の下端部が嵌合する凹部を形成し、上記下台にその平面から見て中央に上記上台が嵌合する凹部を形成し、上記各凹部の深さ寸法ＤをＤ≧１５０ｍｍとし、上記竿石の平断面積をＳ1 とし、上記上台の平断面積をＳ2 としたとき、Ｓ2 ≧４Ｓ1 とした構成としている。
【００１２】
これにより、３つの単体石を順次各単体石の上に載置して形成された墓において、地震等が発生した際に竿石及び上台が横に揺れて倒れようとしても、従来の棒状の鈎石に比較して、嵌合する単体石の下端部は太いことから、許容せん断力や許容曲げ応力を高くして単体石を結合することができ、また、各凹部の深さをＤ≧１５０ｍｍとしているので、凹部の壁面による押さえが確実となり、更に、上位の単体石よりも下位の単体石の平断面積の大きさが４倍以上大きくなっているので、重量の重い上位の単体石を嵌合しても支持が確実になり、更にまた、上位の単体石が下位の単体石の中央に位置するので、重量の重い上位の単体石を嵌合してもバランスよく支持することができ、これにより、凹部の壁面による押さえも確実になり、単体石の転倒や横滑り等が起こりにくくなり、耐震性が向上させられる。
【考案の効果】
【００１３】
本考案の墓によれば、嵌合する単体石の下端部は太いことから、従来の棒状の鈎石に比較して、許容せん断力や許容曲げ応力を高くして結合することができ、このため、地震等が発生した際に、単体石の転倒や横滑り等が起こりにくくなり、耐震性を大幅に向上させることができる。
【考案を実施するための最良の形態】
【００１４】
以下、添付図面に基づいて、本考案の実施の形態に係る墓について詳細に説明する。
図１には、本考案の実施の形態に係る墓Ｇを示す。この墓Ｇは、御影石や安山岩等の石材からなり、矩形状の平断面を有し、下から順に平断面の面積が小さくなる３つの単体石１を順次各単体石１の上に載置して形成されている。
そして、最上位の単体石１を竿石２とし、竿石２が載置される単体石１を上台３とし、上台３が載置される単体石１を下台４としている。
【００１５】
この墓Ｇにおいて、上台３にその平面から見て中央に竿石２の下端部５が嵌合する凹部６を形成し、下台４にその平面から見て中央に上台３が嵌合する凹部６を形成している。
また、各凹部６の深さ寸法ＤをＤ≧１５０ｍｍとし、竿石２の平断面積をＳ1 とし、上台３の平断面積をＳ2 としたとき、Ｓ2 ≧４Ｓ1 としている。実施の形態では、Ｓ1 ＝３００×３００＝９００００ｍｍ2 ，Ｓ2 ＝６００×６００＝３６００００ｍｍ2 にしている。また、凹部６の深さＤをＤ＝１５０ｍｍとしている。
【００１６】
従って、実施の形態に係る墓Ｇを構築するときは、図１及び図２に示すように、先ず下台４を設置し、次に、この下台４の凹部６に上台３の下端部５を嵌合して設置し、最後にこの上台３の凹部６に竿石２を嵌合させて設置する。この場合、下台４から順次石を嵌合させるだけで墓Ｇを構築できるので、構築がきわめて簡単に行なわれる。
【００１７】
この墓Ｇによれば、地震等が発生したときは、竿石２及び上台３が横に揺れて倒れようとしても、嵌合する単体石１の下端部５は太いことから、許容せん断力や許容曲げ応力を高くして単体石１を結合することができ、また、各凹部６の深さをＤ≧１５０ｍｍとしているので、凹部６の壁面による押さえが確実となり、更に、上位の単体石１よりも下位の単体石１の平断面積の大きさが４倍以上大きくなっているので、重量の重い上位の単体石１を嵌合しても支持が確実になり、更にまた、上位の単体石１が下位の単体石１の中央に位置するので、重量の重い上位の単体石１を嵌合してもバランスよく支持することができ、これにより、凹部６の壁面による押さえも確実になり、単体石１の転倒や横滑り等が起こりにくくなり、耐震性が向上させられる。
【００１８】
尚、上記実施の形態において、単体石１を３段に設けているが、必ずしもこれに限定されるものではなく、２段にし、あるいは、４段以上にしてもよく、適宜変更して差支えない。
【図面の簡単な説明】
【００１９】
【図１】本考案の実施の形態に係る墓の分解斜視図である。
【図２】本考案の実施の形態に係る墓の正面半断面図である。
【図３】従来の墓の一例を示す分解斜視図である。
【符号の説明】
【００２０】
Ｇ  墓
１  単体石
２  竿石
３  上台
４  下台
５  下端部
６  凹部
Ｄ  深さ寸法
Ｓ1   平断面積
Ｓ2   平断面積
【図１】
0003102558.tif 000003
【図２】
0003102558.tif 000004
【図３】
0003102558.tif 000005